(57)【要約】  本実施形態で例示する表示装置（４）は、入力された映像入力信号の変化を検出する信号検出部（４１０）と、前記信号検出部が前記映像入力信号の変化を検出したときに、前記映像入力信号を基にした映像の表示に係る遅延時間を計測する映像遅延計測部（４１１）と、前記信号検出部（４１０）が前記映像入力信号の変化を検出したときに、入力された音声信号の処理に係る遅延時間を計測する音声遅延計測部（４１２）と、前記映像遅延計測部（４１１）で計測された遅延時間と、前記音声遅延計測部（４１２）で計測された遅延時間とに基づき、前記音声信号を遅延させる音声遅延処理部（４１３）とを備える。
2016001967.tif 000002
【特許請求の範囲】
【請求項１】
入力された映像入力信号の変化を検出する信号検出部と、
前記信号検出部が前記映像入力信号の変化を検出したときに、前記映像入力信号を基にした映像の表示に係る遅延時間を計測する映像遅延計測部と、
前記信号検出部が前記映像入力信号の変化を検出したときに、入力された音声信号の処理に係る遅延時間を計測する音声遅延計測部と、
前記映像遅延計測部で計測された遅延時間と、前記音声遅延計測部で計測された遅延時間とに基づき、前記音声信号を遅延させる音声遅延処理部と
を備える、表示装置。
【請求項２】
前記映像入力信号を基にして映像検出用信号を生成する映像検出用信号生成部をさらに備え、
前記映像遅延計測部は、前記映像検出用信号生成部で生成された前記映像検出用信号を基にして前記映像の表示に係る遅延時間を計測する、請求項１に記載の表示装置。
【請求項３】
前記映像入力信号は、第１の同期信号を含み、
前記映像検出用信号生成部は、前記第１の同期信号を基にして第２の同期信号を生成し、前記第２の同期信号を含む映像検出用信号を生成する、請求項２に記載の表示装置。
【請求項４】
前記映像検出用信号生成部は、前記第１の同期信号と同一な前記第２の同期信号を生成する、請求項３に記載の表示装置。
【請求項５】
前記映像入力信号は、第１の映像源信号を含み、
前記映像検出用信号生成部は、前記第１の映像源信号を基にして第２の映像源信号を生成し、前記第２の映像源信号を含む映像検出用信号を生成する、請求項２から４のいずれか一項に記載の表示装置。
【請求項６】
前記映像検出用信号生成部は、前記第１の映像源信号の一部を所定の映像データに置換して前記第２の映像源信号を生成する、請求項５に記載の表示装置。
【請求項７】
前記映像検出用信号生成部は、前記映像入力信号を基にして、第１の映像検出用信号と、第２の映像検出用信号と、を生成し、
前記第１の映像検出用信号に含まれる前記第２の映像源信号は、前記第１の映像源信号の一部を第１の映像データに置換した信号であり、
前記第２の映像検出用信号に含まれる前記第２の映像源信号は、前記第１の映像源信号の一部を第２の映像データに置換した信号であり、
前記映像遅延計測部は、前記映像検出用信号が前記第１の映像検出用信号から前記第２の映像検出用信号に切替えられることに応じた前記映像の切替えに基づいて前記映像の表示に係る遅延時間を計測する、請求項６に記載の表示装置。
【請求項８】
前記第１の映像データは、全黒映像に相当する映像データであり、
前記第２の映像データは、全白映像に相当する映像データである、請求項７に記載の表示装置。
【請求項９】
前記映像検出用信号を基に検出用映像を表示する表示部と、
前記表示部に表示される前記検出用映像の輝度を検出する検出部と、をさらに備え、
前記映像遅延計測部は、前記検出部が検出する前記輝度に基づいて遅延時間を計測する、請求項２から８のいずれか一項に記載の表示装置。
【請求項１０】
前記表示部は、前記映像入力信号を基にした入力映像と、前記検出用映像と、を同時に表示する、請求項９に記載の表示装置。
【請求項１１】
入力された映像入力信号の変化を検出する信号検出工程と、
前記信号検出工程で前記映像入力信号の変化を検出したときに、前記映像入力信号を基にした映像の表示に係る遅延時間を計測する映像遅延計測工程と、
前記信号検出工程で前記映像入力信号の変化を検出したときに、入力された音声信号の処理に係る遅延時間を計測する音声遅延計測工程と、
前記映像遅延計測工程で計測された遅延時間と、前記音声遅延計測工程で計測された遅延時間とに基づき、前記音声信号を遅延させる音声遅延処理工程と
を含む、表示方法。
【請求項１２】
入力された映像入力信号の変化を検出する信号検出処理と、
前記信号検出処理で前記映像入力信号の変化を検出したときに、前記映像入力信号を基にした映像の表示に係る遅延時間を計測する映像遅延計測処理と、
前記信号検出処理で前記映像入力信号の変化を検出したときに、入力された音声信号の処理に係る遅延時間を計測する音声遅延計測処理と、
前記映像遅延計測処理で計測された遅延時間と、前記音声遅延計測処理で計測された遅延時間とに基づき、前記音声信号を遅延させる音声遅延処理と
をコンピュータに実行させる、表示プログラム。
【発明の詳細な説明】
【技術分野】
【０００１】
本発明は、表示装置、表示方法、及び表示プログラムに関する。
【背景技術】
【０００２】
画面が真っ黒から真っ白に変化するようなテスト映像データの輝度変化を光センサで測定し、表示されるまでの遅れ時間を検出して、オーディオ信号を遅延させることにより、映像と音声の同期をとる装置がある。
また、表示中の映像の解像度が変化した時、外部入力が切り換えられた時、映像モードが切り替られた時、及びオーディオシステムの接続を検出した時に、映像遅延量と音声遅延量とをオーディオシステムに対して送信する装置がある。
また、映像表示面の前方に接近させたフォトダイオードで輝度変化を検出して、映像信号と音声信号の時間差を測定する装置がある。
上記の技術は、例えば、特許文献１〜３に記載されている。
【先行技術文献】
【特許文献】
【０００３】
【特許文献１】特開２０１０−１８３６２４号公報
【特許文献２】特開２０１０−２７３０７８号公報
【特許文献３】特開平１０−２８５４８３号公報
【発明の概要】
【発明が解決しようとする課題】
【０００４】
しかし、従来の装置では、映像入力信号が変化した場合、変化した入力信号についての遅延時間は予測できず、遅延量を設定できない場合があった。
そこで、本発明は、入力信号が変化した場合であっても、変化した入力信号に応じて遅延時間を設定できる、表示装置、表示方法、及び表示プログラムを提供することを目的とする。
【課題を解決するための手段】
【０００５】
本発明の一実施形態における表示装置は、入力された映像入力信号の変化を検出する信号検出部と、前記信号検出部が前記映像入力信号の変化を検出したときに、前記映像入力信号を基にした映像の表示に係る遅延時間を計測する映像遅延計測部と、前記信号検出部が前記映像入力信号の変化を検出したときに、入力された音声信号の処理に係る遅延時間を計測する音声遅延計測部と、前記映像遅延計測部で計測された遅延時間と、前記音声遅延計測部で計測された遅延時間とに基づき、前記音声信号を遅延させる音声遅延処理部とを備える。
【発明の効果】
【０００６】
入力信号が変化した場合であっても、変化した入力信号に応じて遅延時間を設定できる、表示装置、表示方法、及び表示プログラムを提供することができる。
【図面の簡単な説明】
【０００７】
【図１】第１の実施形態で例示する表示装置の構成を説明する機能ブロック図である。
【図２】第１の実施形態で例示する表示装置の動作を説明するフローチャートである。
【図３】第１の実施形態で例示する表示装置の動作を説明するフローチャートである。
【図４Ａ】映像検出用信号を生成するための、映像入力信号がアナログ信号である場合のマスクパルスの生成を説明するタイミングチャートである。
【図４Ｂ】映像検出用信号を生成するための、映像入力信号がデジタル信号である場合のデータイネーブルの検出を説明するタイミングチャートである。
【図５】映像検出用信号の生成と音声検出用信号の生成を説明するタイミングチャートである。
【図６】遅延時間の測定を説明するタイミングチャートである。
【図７】遅延時間の補償を説明するタイミングチャートである。
【図８】第２の実施形態で例示する表示装置の構成を説明する機能ブロック図である。
【図９】第３の実施形態で例示する表示装置の構成を説明する機能ブロック図である。
【図１０】第３の実施形態における表示部の側面図である。
【図１１】第４の実施形態で例示する表示装置の構成を説明する機能ブロック図である。
【発明を実施するための形態】
【０００８】
以下、本実施形態における表示装置を、図面を参照して説明する。
［第１の実施形態］
図１は、第１の実施形態で例示する表示装置の構成を説明する機能ブロック図である。
図１において、表示装置１は、映像パルス生成部１０１、映像データ生成部１０２、映像データ切替部１０３、映像検出用信号生成部１０４、第１の切替部１０５、映像信号処理部１０６、信号検出部１０７、切替信号発生部１０８、表示部１０９、映像検出部１１０、映像遅延計測部１１１、検出用音声データ記憶部１１２、音声検出用信号生成部１１３、第２の切替部１１４、音声遅延処理部１１５、音声信号処理部１１６、音声遅延計測部１１７、比較部１１８、及び音声出力部１１９を備える。
【０００９】
映像パルス生成部１０１は、同期検出・ＤＥ検出部１０１ａ及び映像マスクパルス生成部１０１ｂを備える。映像パルス生成部１０１には映像入力信号が入力される。映像パルス生成部１０１には、複数種類の映像入力信号が入力される。映像入力信号の種類は、表示方式による分類として、例えば、ＲＧＢ信号、コンポーネント信号、コンポジットビデオ信号等がある。また、映像入力信号の種類は、伝送方式による分類として、例えば、アナログ信号とデジタル信号がある。さらに、同期信号による分類として、セパレートシンク、ミックスシンク、シンクオンＧ（Ｇｒｅｅｎ）等がある。映像パルス生成部１０１に入力される映像入力信号の種類は任意に変更される。例えば、表示装置１に図示しない再生信号の異なる複数種類の再生装置が接続されている場合、映像入力信号は再生装置の切替に応じて変更されることになる。
映像入力信号は、少なくとも、同期信号、映像源信号を含む。映像入力信号がデジタル信号である場合には、さらにＤＥ（Ｄａｔａ  Ｅｎａｂｌｅ）信号を含む。映像源信号は、映像入力信号の中で、表示部１０９に表示される映像に相当する映像部分を含む信号である。
【００１０】
映像パルス生成部１０１の同期検出・ＤＥ検出部１０１ａは、入力された映像入力信号がアナログ信号であるかデジタル信号であるかを判断する。
同期検出・ＤＥ検出部１０１ａは、映像入力信号がアナログ信号であると判断した場合、映像入力信号に含まれる同期信号を検出する。同期検出・ＤＥ検出部１０１ａが映像入力信号をアナログ信号と判断した場合、映像マスクパルス生成部１０１ｂは、同期検出・ＤＥ検出部１０１ａにおいて検出された同期信号を基に映像マスクパルスを生成する。映像マスクパルスは、映像源信号のうち映像部分に相当する部分をマスキングする信号である。
一方、同期検出・ＤＥ検出部１０１ａは、映像入力信号がデジタル信号であると判断した場合、映像入力信号に含まれるＤＥ信号を検出する。そして、映像マスクパルス生成部１０１ｂは、このＤＥ信号を複製し、複製したＤＥ信号を映像マスクパルスとする。
【００１１】
映像データ生成部１０２は、特定の映像データを生成する。具体的には、全黒映像（第１の映像）に相当する映像データ（第１の映像データ）と、全白映像（第２の映像）に相当する映像データ（第２の映像データ）を生成する。ここで、全黒映像とは、映像が表示される領域における表示色が全て黒となる映像をいう。また、全白映像とは、映像が表示される領域における表示色が全て白となる映像をいう。第１の映像と第２の映像の輝度差は、後述する映像検出部１１０によって検出できればよい。このため、第１の映像として、全黒映像の代わりに全黒映像より輝度の高い映像を用いてもよいし、第２の映像として、全白映像の代わりに全白映像より輝度の低い映像を用いてもよい。
映像データ生成部１０２は、生成した第１の映像データおよび第２の映像データを、映像データ切替部１０３に出力する。
【００１２】
映像データ切替部１０３は、切替信号発生部１０８から入力される検出データ切替信号に応じて、第１の映像データおよび第２の映像データのいずれかを映像検出用信号生成部１０４に出力する。
【００１３】
映像検出用信号生成部１０４は、映像パルス生成部１０１から入力された映像マスクパルスと、映像データ切替部１０３から入力された映像データとに基づき、映像検出用信号を生成する。
より具体的には、映像検出用信号生成部１０４は、以下の手順で映像検出用信号を生成する。先ず、映像検出用信号生成部１０４は、入力された映像入力信号を複製する。映像入力信号には、上述のとおり、映像源信号（第１の映像源信号）と同期信号（第１の同期信号）とが含まれている。従って、複製された映像入力信号は、複製された第１の映像源信号と複製された第１の同期信号が含まれる。
次に、映像検出用信号生成部１０４は、複製した映像入力信号に含まれる第１の映像源信号に対して、映像マスクパルスを掛け合わせ、マスキングを行う。さらに、映像検出用信号生成部１０４は、マスキングを行った映像源信号の部分を、映像データ切替部１０３から入力された第１の映像データ又は第２の映像データに置換して第２の映像源信号を生成する。映像検出用信号生成部１０４は、生成した第２の映像源信号と、第１の同期信号を複製した第１の同期信号と同一の第２の同期信号とを含む映像検出用信号を生成する。
【００１４】
ここで、映像源信号を第１の映像データで置換した信号を第１の映像検出用信号、また、映像源信号を第２の映像データで置換した信号を第２の映像検出用信号とする。映像検出用信号生成部１０４は、映像データ切替部１０３から入力される第１の映像データ又は第２の映像データに応じて第１の映像検出用信号又は第２の映像検出用信号を生成する。
本実施形態においては、生成された映像検出用信号は、少なくとも、第２の同期信号及び第２の映像源信号を含み、映像入力信号がデジタル信号である場合には、映像検出用信号はさらにＤＥ信号を含む。
【００１５】
なお、本実施形態では、第２の同期信号は第１の同期信号に基づき、第１の同期信号を複製して、第１の同期信号と同一の同期信号を生成する場合を説明したが、第２の同期信号は、第１の同期信号と同一である場合に限定されない。例えば、第１の同期信号の立ち上がり部、又は立下り部を検出して、検出した立ち上がり部又は立下り部に基づいて第２の同期信号を生成してもよい。
映像検出用信号生成部１０４は、映像入力信号から同期信号又はＤＥ信号を抽出して、映像検出用信号を映像入力信号に同期させて第１の切替部１０５に出力する。
なお、本実施形態では、表示部１０９に表示される映像の輝度の差が最大となる場合として、第１の映像検出用信号と第２の映像検出用信号とを組み合わせ、映像検出用信号生成部１０４は、第１の映像検出用信号と第２の映像検出用信号とを切替えて出力する場合を説明したが、映像検出部１１０が検出可能な輝度の差を有するものであれば、第１の映像検出用信号と第２の映像検出用信号の組み合わせ以外の組み合わせであってもよい。例えば、映像入力信号と第１の映像検出用信号、又は映像入力信号と第２の映像検出用信号の組み合わせであってもよい。
【００１６】
また、本実施形態では、映像検出用信号生成部１０４は、第１の同期信号を基にして第２の同期信号を生成し、第１の映像源信号を基にして第２の映像源信号を生成して映像検出用信号を生成する場合を例示した。しかし、第２の同期信号の生成と、第２の映像源信号の生成は、別のモジュールとして実装してもよい。すなわち、表示装置１は、第１の同期信号を基にして第２の同期信号を生成する同期信号生成部と、第１の映像源信号を基にして第２の映像源信号を生成する映像信号生成部とを備えていてもよい。
【００１７】
第１の切替部１０５は、切替信号発生部１０８から入力切替信号が入力されると、映像入力信号と映像検出用信号生成部１０４から入力された映像検出用信号とを切り替えて、映像信号処理部１０６と信号検出部１０７に出力する。
【００１８】
映像信号処理部１０６は、入力された映像信号を表示部１０９で表示する映像信号にする映像処理を行う。映像信号処理部１０６は、入力された映像信号がアナログ信号であった場合は、アナログ信号に対する映像処理を行う。一方、入力された映像信号がデジタル信号であった場合は、デジタル信号に対する映像処理を行う。従って、映像信号処理部１０６で行われる映像処理は、入力される映像信号の種類に応じて異なる。映像処理は、例えば、色調整、画質調整、解像度調整等である。映像信号処理部１０６は、映像処理を行った映像信号を表示部１０９に出力する。
【００１９】
信号検出部１０７は、入力された映像入力信号の変化を検出する。映像入力信号の変化とは、例えば、映像入力信号の種類の変化である。映像入力信号は、上述のとおり、表示方式で分類される、ＲＧＢ信号、コンポーネント信号、コンポジット信号等の種類がある。また、映像入力信号は、伝送方式で分類される、アナログ信号とデジタル信号等の種類がある。さらに、映像入力信号は、同期信号で分類される、セパレートシンク、ミックスシンク、シンクオンＧ（Ｇｒｅｅｎ）等の種類がある。信号検出部１０７は、映像入力信号の種類に変化があった場合、映像入力信号の変化として検出する。
また、信号検出部１０７は、映像入力信号の変化として、映像入力信号の周波数の変化を検出してもよい。
映像入力信号の種類や周波数が異なると、後述する表示に係る遅延時間として、映像信号処理部１０６や表示部１０９で発生する遅延時間が異なる。信号検出部１０７は、映像入力信号の変化を検出すると、切替信号発生部１０８に対し、映像入力信号の変化が検出されたことを示す検出フラグを出力する。
【００２０】
切替信号発生部１０８は、映像データ切替部１０３、音声検出用信号生成部１１３、第１の切替部１０５、及び第２の切替部１１４の機能を切り替えるための制御信号を出力する。
切替信号発生部１０８は、信号検出部１０７から検出フラグが入力されると、又はユーザ操作による明示的な指示が入力されると、出力切替信号を出力する。ユーザ操作による明示的な指示とは、例えば、図示しない押しボタンスイッチ等をユーザが操作することによる、後述する遅延時間の補償を実行するための指示である。本実施形態においては、信号検出部１０７が入力された映像入力信号の変化を検出したときに自動的に遅延時間の補償を実行するとともに、ユーザ操作により手動的に遅延時間の補償を実行することができる。
切替信号発生部１０８は、出力切替信号を出力した後、所定のセットアップ時間を計数し、セットアップ時間経過後に、第１の切替部１０５及び第２の切替部１１４に対して出力切替信号を出力する。
切替信号発生部１０８は、比較部１１８が出力する処理完了フラグが入力されると、出力切替信号の出力を停止する。なお、比較部１１８の動作及び処理完了フラグの詳細は後述する。
【００２１】
表示部１０９は、映像信号処理部１０６から入力された映像信号を基に映像を表示する。表示部１０９は、例えば、ブラウン管、液晶ディスプレイ、プラズマディスプレイ、有機ELディスプレイ等の表示デバイスを有する。
映像検出部１１０は、表示部１０９に表示される映像を検出する。映像検出部１１０は、例えば、光センサである。映像検出部１１０は、表示部１０９が映像を表示する際に照射する光の光量を測定することにより、表示部１０９に表示される映像の輝度を測定することができる。例えば、表示部１０９に表示される映像が全黒映像であった場合、表示部１０９で表示される映像の輝度は低くなる。一方、表示部１０９に表示される映像が全白映像であった場合、表示部１０９で表示される映像の輝度は高くなる。映像検出部１１０は、入射される光量の変化として測定することより、映像の輝度の変化を検出し、表示部１０９に表示される映像が全黒映像から全白映像に切り替わったことを検出する。映像検出部１１０は、映像の切替えを検出すると映像遅延計測部１１１に検出結果を出力する。
【００２２】
映像遅延計測部１１１は、映像の表示に係る遅延時間を計測する。本実施形態における映像の表示に係る遅延時間とは、映像遅延計測部１１１が、切替信号発生部１０８から出力された検出データ切替信号を検出した時から、映像検出部１１０から出力された検出結果を検出するまでの時間である。遅延時間は、主に映像信号処理部１０６と表示部１０９（以下、「映像信号処理部１０６等」という。）における映像信号の処理時間に依存する。映像遅延計測部１１１は、計測した遅延時間を比較部１１８に出力する。
【００２３】
検出用音声データ記憶部１１２は、音声信号を記憶して、記憶した音声信号を音声検出用信号生成部１１３に出力する。本実施形態では、検出用音声データ記憶部１１２は、音声信号として、無音信号と検出用信号（有音信号）を記憶する。無音信号と検出用信号は、音量の異なる音声データである。無音信号と検出用信号は、後述する音声遅延計測部１１７において、音量の差が検出できる程度に音量差を有していればよい。従って、検出用音声データ記憶部１１２は、無音信号を記憶する代わりに、所定の音量差を有する２つの有音信号を記憶して音声検出用信号生成部１１３に出力してもよい。
【００２４】
音声検出用信号生成部１１３は、検出用音声データ記憶部１１２から入力された無音信号に基づく無音の音声検出用信号と、検出用信号に基づく有音の音声検出用信号の２つの音声検出用信号を生成する。音声検出用信号生成部１１３は、切替信号発生部１０８から出力される検出データ切替信号が入力されると、生成した音声検出用信号を無音の音声検出用信号から有音の音声検出用信号に切り替えて、第２の切替部１１４に出力する。
第２の切替部１１４は、切替信号発生部１０８から出力切替信号が入力されると、音声入力信号と音声検出用信号生成部１１３から入力された音声検出用信号とを切り換えて、音声遅延処理部１１５に出力する。
【００２５】
音声遅延処理部１１５は、入力された音声入力信号又は音声検出用信号に対して所定の遅延時間を付与する。音声遅延処理部１１５は、比較部１１８から出力される遅延補正量が設定される。音声遅延処理部１１５は、入力された音声信号を内部のバッファに一時的に記憶して、設定された遅延補正量に応じてバッファに記憶した音声信号を遅延させて読み出し、音声信号処理部１１６に出力する。
音声信号処理部１１６は、音声遅延処理部１１５から入力された音声信号を処理して、音声遅延計測部１１７と音声出力部１１９に出力する。
【００２６】
音声遅延計測部１１７は、音声の処理に係る遅延時間を計測する。本実施形態における音声の処理に係る遅延時間とは、音声遅延計測部１１７が、切替信号発生部１０８から出力された検出データ切替信号を検出した時から、音声信号処理部１１６から出力された音声信号を検出するまでの時間である。遅延時間は、主に音声信号処理部１１６における音声信号の処理時間に依存する。音声遅延計測部１１７は、計測した遅延時間を比較部１１８に出力する。
【００２７】
比較部１１８は、映像遅延計測部１１１で計測された遅延時間と、音声遅延計測部１１７で計測された遅延時間とを比較し、遅延時間の差（差分時間）を算出する。比較部１１８は、算出した差分時間を遅延補正量として音声遅延処理部１１５に出力する。比較部１１８は、差分時間が所定の範囲内であるときには、切替信号発生部１０８に対して、差分時間が所定の範囲内であることを示す処理完了フラグを出力する。処理完了フラグを出力する差分時間の範囲は、比較部１１８に記憶される。記憶される差分時間の範囲は、映像入力信号の種類に応じて異なる範囲であってもよい。また、記憶される差分時間の範囲は、ユーザが予め設定できるようにしてもよい。
【００２８】
音声出力部１１９は、音声信号処理部１１６から入力された音声信号を基に音声出力を行う。音声出力部１１９は、例えば、音声アンプとスピーカの組み合わせである。
なお、本実施形態では、音声信号処理部１１６から出力された音声信号を音声遅延計測部１１７に直接入力したが、音声出力部１１９から出力された音声をマイク等の音声検出装置で検出し、検出結果を音声遅延計測部１１７に入力するようにしてもよい。
【００２９】
ところで、映像の表示に係る遅延時間は、映像信号処理部１０６等で行う処理の内容や処理するデータの量に応じて異なる。映像信号処理部１０６には、上述のとおり、複数種類の映像入力信号が入力される。従って、映像信号処理部１０６等において発生する映像の表示に係る遅延時間は、映像入力信号の種類に応じて異なることになる。
一方、音声信号処理部１１６における音声処理の処理時間は、映像入力信号の種類による影響を受けにくい。また、音声信号の処理時間は映像信号の処理に比べて処理の負荷が低いことから、音声信号の処理に係る遅延時間も映像信号の処理に係る遅延時間に比べて小さくなる。従って、表示部１０９で表示される映像の表示タイミングと、音声出力部で出力される音声の出力タイミングは、映像入力信号の種類に応じて異なる場合がある。
本実施形態では、入力信号が変化して種類の異なる映像入力信号が入力された場合であっても、映像入力信号の種類に応じて遅延時間を測定し、測定された遅延時間を基に音声遅延処理部１１５に遅延補正量を設定することにより、表示部１０９で表示される映像の表示タイミングと音声出力部で出力される音声の出力タイミングとを合わせる（ずれを無くす、あるいはずれを小さくする）ことが可能になる。また、遅延補正量は映像入力信号の変化に対応して測定されるため、映像入力信号の種類毎に遅延補正量を予め予想して記憶しておく必要がない。
【００３０】
次に、図２〜図７を用いて、本実施形態における表示装置１の動作を説明する。なお、以下の説明では、図１で説明した表示装置１の構成を適宜参照する。
図２及び図３は、第１の実施形態で例示する表示装置１の動作を説明するフローチャートである。
図２及び図３のフローチャートにおいて二重線で示す記号は、同時性を表す記号であり、二重線から始まる複数の処理は、お互いに依存関係がなく、平行して行われる処理を示す。また、二重線で終わる複数の処理は、それぞれの処理が完了して、その二重線の次の処理に移行することができる処理を示す。
【００３１】
図２において、同期検出・ＤＥ検出部１０１ａは、映像入力信号がアナログ信号である場合、映像入力信号の同期信号を検出する（Ｓ１０１）。次に、同期検出・ＤＥ検出部１０１ａは、映像入力信号がデジタルである場合、映像入力信号のデータイネーブル信号を検出する（Ｓ１０２）。
映像マスクパルス生成部１０１ｂは、映像入力信号がアナログ信号である場合、同期検出・ＤＥ検出部１０１ａにおいて検出された同期信号を基に、映像マスクパルスを生成する（Ｓ１０３）。
【００３２】
ここで、図４Ａ及び図４Ｂを用いて、ステップＳ１０１〜Ｓ１０３の処理の内容をタイミングチャートで説明する。図４Ａは、映像検出用信号を生成するための、映像入力信号がアナログ信号である場合のマスクパルスの生成を説明するタイミングチャートである。図４Ｂは、映像入力信号がデジタル信号である場合のデータイネーブルの検出を説明するタイミングチャートである、
図４Ａにおいて、映像入力信号がアナログ信号である場合、映像入力信号は、図示１段目に示す同期信号と同期信号の間に映像源信号に含まれる映像部分を有する。映像マスクパルス生成部１０１ｂは、入力された映像入力信号を基に映像マスクパルスを生成する。
映像源信号は、図４Ｂの図示３段目に鋸形状の部分で図示する映像部分を含む。映像部分は同期信号と同期信号の間隔より狭い範囲（時間幅）において存在する。映像マスクパルス生成部１０１ｂは、図４Ｂ図示２段目の点線で図示するとおり、映像入力信号の第１の映像源信号に含まれる映像部分をマスクするだけの時間幅を有するように映像マスクパルスを生成する。
一方、図４Ｂにおいて、映像入力信号がデジタル信号である場合、同期検出・ＤＥ検出部１０１ａは、映像源信号に含まれるＤＥ信号を検出する。ＤＥ信号の時間幅は、映像入力信号の時間幅と同一である。従って、映像入力信号がデジタル信号である場合は、アナログ信号に対して生成するマスクパルスの生成は不要である。
【００３３】
映像パルス生成部１０１は、映像検出用信号の種類又は周波数毎にマスクパルス又はＤＥ信号を生成する。映像検出用信号生成部１０４は、映像パルス生成部１０１で生成されたマスクパルス又はＤＥ信号を基に、後述する遅延時間の計測で使用される映像検出用信号を生成する。従って、遅延時間の計測は、映像検出用信号の種類又は周波数に応じて生成された映像検出用信号を使用して行われる。
【００３４】
再び、図２に戻り、ステップＳ１０１の処理と並行して行われる処理として、ステップＳ１１１とＳ１２１を説明する。
映像データ生成部１０２は、映像バイアスを切り替えて（Ｓ１１１）、全黒映像に相当する第１の映像データと、全白映像に相当する第２の映像データを生成する（Ｓ１１２）。映像データ生成部１０２は、生成した第１の映像データおよび第２の映像データを、映像データ切替部１０３に出力する。映像データ切替部１０３は、切替信号発生部１０８から入力される検出データ切替信号に応じて、第１の映像データおよび第２の映像データのいずれかを映像検出用信号生成部１０４に出力する。
ステップＳ１０３とステップＳ１１２の処理が完了すると、映像検出用信号生成部１０４は、映像検出用信号を生成する（Ｓ１３１）。
映像検出用信号生成部１０４は、映像入力信号を複製し、複製した映像入力信号に含まれる第１の映像源信号に対して、ステップＳ１０３で生成した映像マスクパルスを掛け合わせ、マスキングを行う。さらに、映像検出用信号生成部１０４は、マスキングを行った映像源信号の部分を、ステップＳ１１２で生成された第１の映像データ又は第２の映像データに置換して第２の映像源信号を生成する。映像検出用信号生成部１０４は、生成した第２の映像源信号と、第１の同期信号を複製した第２の同期信号とを含む映像検出用信号を生成する。
また、ステップＳ１１１と並行して、音声検出用信号生成部１１３は、音声検出用信号に用いる音声信号を無音信号に切り替え（Ｓ１２１）、無声の音声検出用信号を生成する（Ｓ１２２）。
【００３５】
ステップＳ１３１とステップＳ１２２の処理が完了すると、切替信号発生部１０８は、ユーザ操作による遅延時間の補償を実行する明示的な指示があったか否かを判断する（Ｓ１４１）。ユーザは、任意の時点で遅延時間の補償を実行する指示を行うことができるものとする。ユーザ操作が無かった場合（Ｓ１４１−ＮＯ）、切替信号発生部１０８は、信号検出部１０７から検出フラグが入力された否かにより、映像入力信号に変化があったか否かを判断する（Ｓ１４２）。
映像入力信号に変化があった場合（Ｓ１４２−ＹＥＳ）、又はステップＳ１４１においてユーザ操作が有った場合（Ｓ１４１−ＹＥＳ）、フローチャートの処理は図３の“Ａ”の結合子に続く。
一方、映像入力信号に変化が無かった場合（Ｓ１４２−ＮＯ）、比較部１１８は、映像遅延計測部１１１から出力される遅延時間と音声遅延計測部１１７から出力される遅延時間との差（差分時間）が、所定の許容差の範囲にあるか否かを判断する（Ｓ１４３）。
差分時間が所定の許容差の範囲でない場合（Ｓ１４３−ＮＯ）、フローチャートの処理は図３の“Ｂ”の結合子及び“Ｃ”の結合子に続く。差分時間が算出されていない場合は、ステップＳ１４３はＮＯと判断される。
【００３６】
一方、所定の許容差の範囲にある場合（Ｓ１４３−ＹＥＳ）、終了操作が有ったか否かを判断する（Ｓ１４４）。
差分時間が許容差の範囲にあるときには、映像の表示と音声の出力のずれは所定の範囲内にあるため、後述する遅延時間の補償の動作を行う必要はない。
終了操作とは、遅延時間の補償動作を終了する操作である。例えば、表示装置１の図示しない電源スイッチがオフになったときである。また、例えば、表示装置１が遅延時間の補償を自動的に実行するか手動的に実行するかの設定を行う“自動／手動”の切替スイッチを有している場合、当該切換スイッチを手動にすることでステップＳ１４４における終了操作としてもよい。
終了操作が有った場合（Ｓ１４４−ＹＥＳ）、このフローチャートで説明する処理を終了する。
一方、終了操作が無かった場合（Ｓ１４４−ＮＯ）、フローチャートはステップＳ１１１及びＳ１２１の処理に戻る。
【００３７】
図３において、図２の“Ａ”の結合子から続く処理は、ステップＳ１５１〜Ｓ１５６の処理と、ステップＳ１６１〜Ｓ１６６の処理が並行して行われる。
切替信号発生部１０８は、第１の切替部１０５に対して出力切替信号を出力し、第１の切替部１０５の出力を映像入力信号から映像検出用信号に切り替える（Ｓ１５１）。映像入力信号から切り換えられる映像検出用信号は、ステップＳ１１１で設定された全黒の映像データであり、表示部１０９には全黒の映像が表示される。
次に、図２の“Ｂ”の結合子から続く処理が合流し、映像遅延計測部１１１は、セットアップ時間待機する（Ｓ１５２）。セットアップ時間は、映像入力信号から全黒の映像検出用信号に切り替わった後、所定の待機時間を設けることにより、音声遅延計測部１１７における計測の準備との同期を行うものである。また、所定の待機時間を設けることにより、映像検出部１１０における全黒の映像による測定値を安定させてノイズによる誤測定を防止することができる。なお、映像遅延計測部１１１は、映像検出部１１０から入力される全黒の映像による測定値が所定期間変化しないのを確認して遅延時間の計測を有効にするようにしてもよい。
【００３８】
次に、切替信号発生部１０８は、映像データ切替部１０３に対して、表示データ切替信号を出力し、映像データ切替部１０３の出力を、全白データの映像バイアスに基づく映像データとする（Ｓ１５３）。
次に、映像遅延計測部１１１は、切替信号発生部１０８から入力された表示データ切替信号により遅延時間の計測を開始する（Ｓ１５４）。次に、映像検出部１１０が全黒映像から全白映像になったか否かを検出する（Ｓ１５５）。映像検出部１１０が全白映像を検出しない場合（Ｓ１５５−ＮＯ）、ステップＳ１５５の処理を繰り返す。映像検出部１１０が全白映像を検出した場合（Ｓ１５５−ＹＥＳ）、映像遅延計測部１１１は、映像表示に係る遅延時間を計測する（Ｓ１５６）。
【００３９】
切替信号発生部１０８は、第２の切替部１１４に対して出力切替信号を出力し、第２の切替部１１４の出力を音声入力信号から音声検出用信号に切り替える（Ｓ１６１）。切り換えられる音声検出用信号は、ステップＳ１２１で設定された無音の音声信号である。
次に、図２の“Ｃ”の結合子から続く処理が合流し、音声遅延計測部１１７は、セットアップ時間待機する（Ｓ１６２）。セットアップ時間は、音声入力信号から無音の音声検出用信号に切り替わった後、所定の待機時間を設け、映像遅延計測部１１１における計測の準備との同期を行うものである。
【００４０】
次に、切替信号発生部１０８は、音声検出用信号生成部１１３に対して、表示データ切替信号を出力し、音声検出用信号生成部１１３の出力を、検出用信号に基づく有音の音声信号とする（Ｓ１６３）。
次に、音声遅延計測部１１７は、切替信号発生部１０８から入力された表示データ切替信号により遅延時間の計測を開始する（Ｓ１６４）。次に、音声遅延計測部１１７は、音声信号が無音音声から有音音声になったか否かを検出する（Ｓ１６５）。音声遅延計測部１１７が有音音声を検出しない場合（Ｓ１６５−ＮＯ）、ステップＳ１６５の処理を繰り返す。音声遅延計測部１１７が有音音声を検出した場合（Ｓ１６５−ＹＥＳ）、音声遅延計測部１１７は、音声出力に係る遅延時間を計測する（Ｓ１６６）。
【００４１】
ここで、図５を用いて、ステップＳ１５１〜Ｓ１５３の処理と、ステップＳ１６１〜Ｓ１６３の処理の内容を説明する。図５は、映像検出用信号の生成と音声検出用信号の生成を説明するタイミングチャートである。
図５において、ｘ軸は時間軸を表す。時刻ｔ１において、ステップＳ１５１及びＳ１６１における出力切替信号により、第１の切替部から出力される映像信号は、映像入力信号の映像源信号が、第１の映像源信号から、第１の映像データ（全黒映像）で置換された第２の映像源信号に切り替わる。また、時刻ｔ１において、音声データは、音声入力信号から無音音声に切り替わる。
時刻ｔ１からｔ２で示す時間は、ステップＳ１５２及び１５２におけるセットアップ時間である。
時刻ｔ２において、ステップＳ１５３及びＳ１６３における検出データ切替信号により、映像信号の映像源信号は、第１の映像データから第２の映像データ（全白映像）に切り替わり、音声信号も無音データから検出用の有音データに切り替わる。
時刻ｔ２以降は、検出用信号が連続する。
【００４２】
再び図３に戻り、比較部１１８は、映像遅延計測部１１１で計測された遅延時間と、音声遅延計測部１１７で計測された遅延時間とを比較して、遅延時間の差（差分時間）を算出する（Ｓ１７１）。
【００４３】
ここで、図６を用いて、ステップＳ１５４〜Ｓ１５６の処理と、ステップＳ１６４〜Ｓ１６６の処理の内容を説明する。図６は、遅延時間の測定を説明するタイミングチャートである。
図６において、時刻ｔ２において、音声遅延計測部１１７は、音声検出用信号（有音音声）を検出する。一方、時刻ｔ４において、映像遅延計測部１１１は、映像検出用信号（全白映像）を検出する。すなわち、映像遅延計測部１１１で計測された遅延時間と、音声遅延計測部１１７で計測された遅延時間の差は、（ｔ４−ｔ３）である。本実施形態では、（ｔ４−ｔ３）を差分時間として計測する。
【００４４】
再び図３に戻り、比較部１１８は、差分時間が所定の範囲内であるか否かを判断する（Ｓ１７２）。差分時間が所定の範囲内である場合（Ｓ１７２−ＹＥＳ）、比較部１１８は、切替信号発生部１０８に対して処理完了フラグを出力する。切替信号発生部１０８は、入力された処理完了フラグに応じて出力切替信号の出力を停止する。
第１の切替部１０５は、出力切替信号の出力が停止されると、出力を映像検出用信号から映像入力信号（源信号）に切り替える（Ｓ１８１）。また、第２の切替部１１４は、出力切替信号の出力が停止されると、出力を音声検出用信号から音声入力信号（源信号）に切り替える（Ｓ１９１）。
一方、差分時間が所定の範囲内でない場合（Ｓ１７２−ＮＯ）、比較部１１８は、算出した差分時間に基づく遅延補正量を音声遅延処理部１１５に出力する。音声遅延処理部１１５は入力された遅延補正量を内部に設定する（Ｓ１７３）。
フローチャートの処理は図２の“Ｄ”の結合子に続く。
【００４５】
ここで、図７を用いて、ステップＳ１７１〜Ｓ１７３の処理の内容を説明する。図７は、遅延時間の補償を説明するタイミングチャートである。
図７において、音声遅延処理部１１５に遅延補正量としてｔ４−ｔ３の差分時間を設定すると、音声信号の遅延時間は、時刻ｔ４の映像信号の遅延時間に揃えられ、映像の表示と音声の出力にずれが無くなる。
【００４６】
なお、音声遅延処理部１１５に設定される遅延補正量は、必ずしも差分時間と同じ値にする必要はない。例えば設定される遅延補正量が固定値であってもよい。遅延補正量で補償した遅延時間の差分がステップＳ１４３において判断される所定の許容差の範囲内でない場合、図３で説明した遅延時間の補償処理が繰り返されて遅延時間の差分は設定された許容差の範囲内に収束する。このため、設定される遅延補正量の合計は、遅延時間の差分に基づくものとなる。
また、表示部１０９と表示部１０９を見るユーザとの距離が大きい場合、表示部１０９で表示される映像が光としてユーザに到達する時間と、音声出力部１１９で出力される音声がユーザに到達する時間とで差異が生じる。音声遅延処理部１１５に設定される遅延補正量は、表示部１０９とユーザの距離を考慮して設定してもよい。
【００４７】
［第２の実施形態］
次に、図８を用いて、第２の実施形態における表示装置を説明する。図８は、第２の実施形態で例示する表示装置の構成を説明する機能ブロック図である。
図８において、表示装置２は、音声遅延処理部２０１、Ａ／Ｄ（Ａｎａｌｏｇ／Ｄｉｇｉｔａｌ）変換部２０２、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）レシーバ２０３、Ｙ／Ｃ（輝度信号／色信号）分離・復調・Ａ／Ｄ変換部２０４、表示部２０５、映像検出部２０６、音声アンプ２０７、スピーカ２０８、第１の制御部２１、及び第２の制御部２２を備える。
【００４８】
第１の制御部２１は、映像パルス生成部２１０１（同期検出・ＤＥ検出部２１０１ａ、映像マスクパルス生成部２１０１ｂ）、映像検出用信号生成部２１０２、バイアスデータ記憶部２１０３、同期／ＤＥＳＷ（Ｓｗｉｃｈ）２１０４、映像ＳＷ２１０５、ＳＷ２１０６、切替信号発生部２１０７、映像遅延計測部２１０８、音声遅延計測部２１０９、比較部２１１０、検出用音声データ記憶部２１１１、音声検出用信号生成部２１１２、及びＳＷ２１１３を備える。
第２の制御部２２は、信号検出部２２０１、映像信号処理部２２０２、Ａ／Ｄ変換部２２０３、音声ＳＷ２２０４、及び音声信号処理部２２０５を備える。
なお、第１の実施形態と同一名称のモジュールは同一の機能を備えるものとして、以下説明を省略する。
【００４９】
第１の制御部は、例えばＦＰＧＡ（Ｆｉｅｌｄ  Ｐｒｏｇｒａｍｍａｂｌｅ  Ｇａｔｅ  Ａｒｒａｙ）、ゲートアレイ等により実施できる。また、第２の制御部は、スケーラー等により実施できる。第２の実施形態は、例えば既存のスケーラーに新たにＦＰＧＡ等を組み合わせることにより実施ができるので、容易に表示装置を構成することが可能となる。
なお、第２の実施形態では、音声遅延処理部２０１を第１の制御部又は第２の制御部とは別に搭載しているが、音声遅延処理部２０１を第１の制御部又は第２の制御部にいずれかに搭載してもよい。
第２の実施形態では、図１で説明した第１の実施形態における各モジュールの機能を、第１の制御部及び第２の制御部に実装させている。
例えば、第１の制御部２１は、映像パルス生成部２１０１、映像検出用信号生成部２１０２、ＳＷ２１０６、切替信号発生部２１０７、映像遅延計測部２１０８、音声遅延計測部２１０９、比較部２１１０、検出用音声データ記憶部２１１１、音声検出用信号生成部２１１２、及びＳＷ２１１３を配しており、第１の実施形態で説明したそれぞれのモジュールの機能を実現している。
ＳＷ２１０６は、第１の実施形態における第１の切替部１０５の機能に相当する機能を有し、ＳＷ２１１３は、第２の切替部１１４の機能に相当する機能を有する。バイアスデータ記憶部２１０３は、映像データ生成部１０２の機能に相当する機能を有する。また、音声アンプ２０７及びスピーカ２０８は、音声出力部１１９の機能に相当する機能を有する。
【００５０】
同期／ＤＥＳＷ２１０４、及び映像ＳＷ２１０５は、Ａ／Ｄ変換部２０２、ＴＭＤＳレシーバ２０３、Ｙ／Ｃ分離・復調・Ａ／Ｄ変換部２０４からそれぞれ入力される、アナログＲＧＢ信号、ＨＤＭＩ（登録商標）／ＤＶＩ（Ｈｉｇｈ  Ｄｅｆｉｎｉｔｉｏｎ  Ｍｕｌｔｉｍｅｄｉａ  Ｉｎｔｅｒｆａｃｅ／Ｄｉｇｉｔａｌ  Ｖｉｓｕａｌ  Ｉｎｔｅｒｆａｃｅ）信号、及びＣＶＢＳ（Ｃｏｍｐｏｓｉｔｅ  Ｖｉｄｅｏ  Ｂｌａｎｋｉｎｇ  Ｓｙｎｃ）信号の同期信号（又はＤＥ信号）と、映像信号とを切り換える。
Ａ／Ｄ変換部２２０３は入力されるアナログ音声信号をデジタル信号に変換し、音声ＳＷ２２０４は、ＴＭＤＳレシーバ２０３から入力されるＩ２Ｓ（Ｉｎｔｅｒ−ＩＣ  Ｓｏｕｎｄ）デジタル音声信号と、Ａ／Ｄ変換部２２０３から入力されるＩ２Ｓデジタル音声信号を切り替えて、ＳＷ２１１３に出力する。ＴＭＤＳレシーバ２０３から入力される音声信号としては、例えばＩ２Ｓの伝送形式を用いることができる。Ｉ２Ｓは、主にＩＣ間の音声信号の伝送に利用される伝送形式である。音声信号の伝送形式としては、主に外部インターフェイス間の音声信号の伝送に利用される光デジタル音声信号を用いてもよい。
【００５１】
［第３の実施形態］
次に、図９及び図１０を用いて、第３の実施形態における表示装置を説明する。第３の実施形態は、表示部に後述する映像に主画面と子画面を設け、子画面の表示を検出して遅延時間の補償を行う表示装置を例示している。図９は、第３の実施形態で例示する表示装置の構成を説明する機能ブロック図である。
図９において、表示装置３は、表示部３０１、映像検出部３０２、音声アンプ３０３、スピーカ３０４、第１の制御部３１、及び第２の制御部３２を備える。
表示部３０１は、主画面３０１１、子画面３０１２、及びベゼル３０１３を備える。
表示部３０１は、主画面３０１１の映像を表示し、主画面３０１１の映像の中に、子画面３０１１を設けて、子画面３０１１に主画面の映像とは別の映像を配置する。本実施形態では表示部３０１に表示する主画面３０１１の映像の中に子画面３０１２の映像を表示するＰＩＰ（Ｐｉｃｔｕｒｅ  Ｉｎ  Ｐｉｃｔｕｒｅ）を用いる場合を例示する。但し、主画面３０１１と子画面３０１２は、別の映像を表示する領域として設定されていればよく、例えば、主画面３０１１と子画面３０１２が重ならない領域に設定されてもよい。
第１の制御部３１は、ＣＰＵ３１００、バイアスデータ記憶部３１０１、映像検出用信号生成部３１０２、同期検出・ＤＥ検出部３１０３、Ａ／Ｄ変換部３１０４、Ａ／Ｄ変換部３１０５、ＴＭＤＳレシーバ３１０６、映像信号処理部３１０７、信号検出部３１０８、データバッファ３１０９、データバッファ３１１０、信号検出部３１１１、解像度変換ＰＩＰ合成部３１１２、Ａ／Ｄ変換部３１１３、音声ＳＷ３１１４、音声信号処理部３１１５、音声遅延処理部３１１６、及びＤｉｓｐｌａｙＰｏｒｔレシーバ３１１７を備える。
第２の制御部３２は、検出用音声データ記憶部３２０１、音声検出用信号生成部３２０２、ＳＷ３２０３、映像遅延計測部３２０４、音声遅延計測部３２０５、及び比較部３２０６を備える。
【００５２】
第３の実施形態における、第１の制御部３１は、例えば、スケーラー等により実施ができる。また、第２の制御部３２は、例えばＦＰＧＡ、ゲートアレイ等により実施できる。
第３の実施形態は、例えば既存のスケーラーに新たにＦＰＧＡ等を組み合わせることにより実施ができるので、容易に表示装置を構成することが可能となる。
【００５３】
ここで、図１０を用いて、表示部３０１の詳細を説明する。図１０は、第３の実施形態における表示部の側面図である。表示部３０１は、映像を表示する主画面３０１１と、主画面の下部に設けられる子画面３０１２を有する。表示部３０１の下部には、ベゼル３０１３を備え、ベゼル３０１３には、反射板３０１４ａ及び３０１４ｂが取り付けられている。
子画面３０１２に表示される映像は、反射板３０１４ａ及び３０１４ｂで反射されて、映像検出部３０２に入力される。図１０に例示するベゼル３０１３は、上部が開口しているが、例えば、子画面３０１２に表示される映像による光を透過するプラスチック板、又はガラス板を用いてベゼル３０１３の上部を閉鎖してもよい。
【００５４】
再び図９に戻り、ＤｉｓｐｌａｙＰｏｒｔレシーバ３１１７は、ＤｉｓｐｌａｙＰｏｒｔ信号が入力される。映像信号処理部３１０７は、入力されたＣＶＢＳ信号、アナログＲＧＢ信号、ＨＤＭＩ／ＤＶＩ信号、又はＤｉｓｐｌａｙＰｏｒｔ信号を切り替えて、メイン表示用信号として信号検出部３１０８及びデータバッファ３１０９に出力する。メイン表示用信号は、主画面３０１１に入力されて表示される入力映像の信号である。
映像信号処理部３１０７は、映像検出用信号生成部３１０２から入力される映像検出用信号を、ＰＩＰ表示用信号としてデータバッファ３１１０及び信号検出部３１１１に出力する。ＰＩＰ表示用信号は、子画面３０１２に表示される映像の信号である。
信号検出部３１０８は、第１の実施形態における信号検出部１０７の機能に相当する機能を有する。信号検出部３１０８は、入力された信号（ＣＶＢＳ信号、アナログＲＧＢ信号、又はＨＤＭＩ／ＤＶＩ信号等）が変化することを検出すると、同期検出・ＤＥ検出部３１０３に検出結果を出力する。
バイアスデータ記憶部３１０１、映像検出用信号生成部３１０２、及び同期検出・ＤＥ検出部３１０３は、信号検出部３１０８から入力された検出結果に基づき映像検出用信号を生成する。映像検出用信号生成部３１０２において映像検出用信号が生成される動作は第１の実施形態と同様である。
データバッファ３１０９及びデータバッファ３１１０は、メイン表示用信号とＰＩＰ表示用信号を一時的に保存する。保存されたメイン表示用信号とＰＩＰ表示用信号は、信号検出部３１０８及び信号検出部３１１１から入力される同期信号に基づいて解像度変換ＰＩＰ合成部３１１２に出力される。解像度変換ＰＩＰ合成部３１１２は、入力されたメイン表示用信号とＰＩＰ表示用信号とを合成して表示部３０１に出力する。
【００５５】
第３の実施形態は、第２の実施形態が表示部３０１の全画面で表示される映像検出用信号を検出するのに対して、子画面３０１２で表示される映像検出用信号を検出する点で異なる。第３の実施形態においては、主画面に源信号による映像を表示させたまま、子画面で映像検出用信号を検出できるので、源信号の映像の表示が途切れることなく、遅延補償を実行することが可能となる。子画面３０１２は、例えば、遅延補償を実行するときのみ表示させてもよい。
【００５６】
［第４の実施形態］
次に、図１１を用いて、第４の実施形態における表示装置を説明する。図１１は、第４の実施形態で例示する表示装置の構成を説明する機能ブロック図である。
図１１において、表示装置４は、入力された映像入力信号の変化を検出する信号検出部４１０と、信号検出部４１０が映像入力信号の変化を検出したときに、映像入力信号を基にした映像の表示に係る遅延時間を計測する映像遅延計測部４１１と、信号検出部４１０が映像入力信号の変換を検出したときに、入力された音声信号の処理に係る遅延時間を計測する音声遅延計測部４１２と、映像遅延計測部４１１で計測された遅延時間と、音声遅延計測部４１２で計測された遅延時間とに基づき、音声信号の遅延時間を設定する音声遅延処理部４１３とを備える。
【００５７】
なお、上述した通り、実施形態における表示装置１〜４は、表示装置が接続可能なコンピュータで実現するようにしてもよい。その場合、図１、図８、図９、及び図１１で説明した各機能ブロックの機能を実現するためのプログラムをコンピュータ読み取り可能な記録媒体に記録して、この記録媒体に記録されたプログラムをコンピュータシステムに読み込ませ、実行することで実現してもよい。なお、ここでいう「コンピュータシステム」とは、ＯＳや周辺機器等のハードウエアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００５８】
以上に例示した実施形態は、表示装置、表示方法、及び表示プログラムに適用することができる。
【符号の説明】
【００５９】
１、２、３    表示装置
１０１、２１０１  映像パルス生成部
１０１ａ、２１０１ａ、３１０３  同期検出・ＤＥ検出部
１０１ｂ、２１０１ｂ  映像マスクパルス生成部
１０２  映像データ生成部
１０３  映像データ切替部
１０４、２１０２、３１０２  映像検出用信号生成部
１０５  第１の切替部
１０６、２２０２、３１０７  映像信号処理部
１０７、２２０１、３１０８、３１１１、４１０  信号検出部
１０８、２１０７  切替信号発生部
１０９、２０５、３０１  表示部
１１０、２０６、３０２  映像検出部
１１１、２１０８、３２０４、４１１  映像遅延計測部
１１２、２１１１、３２０１  検出用音声データ記憶部
１１３、２１１２、３２０２  音声検出用信号生成部
１１４  第２の切替部
１１５、２０１、３１１６、４１３  音声遅延処理部
１１６、２２０５、３１１５  音声信号処理部
１１７、２１０９、３２０５、４１２  音声遅延計測部
１１８、２１１０、３２０６  比較部
１１９  音声出力部
２１、３１  第１の制御部
２１０３、３１０１  バイアスデータ記憶部
２１０４  同期／ＤＥＳＷ
２１０５  映像ＳＷ
２１０６、２１１３、３２０３  ＳＷ
２０２、２２０３、３１０４、３１０５、３１１３  Ａ／Ｄ変換部
２０３、３１０６  ＴＭＤＳレシーバ
２０４  Ｙ／Ｃ分離・復調・Ａ／Ｄ変換部
２２、３２  第２の制御部
２２０４、３１１４  音声ＳＷ
２０７、３０３  音声アンプ
２０８、３０４  スピーカ
３０１１  主画面
３０１２  子画面
３０１３  ベゼル
３０１４ａ、３０１４ｂ  反射板
３１００  ＣＰＵ
３１０９、３１１０  データバッファ
３１１２  解像度変換ＰＩＰ合成部
３１１７  ＤｉｓｐｌａｙＰｏｒｔレシーバ
【図１】
2016001967.tif 000003
【図２】
2016001967.tif 000004
【図３】
2016001967.tif 000005
【図４Ａ】
2016001967.tif 000006
【図４Ｂ】
2016001967.tif 000007
【図５】
2016001967.tif 000008
【図６】
2016001967.tif 000009
【図７】
2016001967.tif 000010
【図８】
2016001967.tif 000011
【図９】
2016001967.tif 000012
【図１０】
2016001967.tif 000013
【図１１】
2016001967.tif 000014
【国際調査報告】
2016001967.tif 000015
2016001967.tif 000016
2016001967.tif 000017
2016001967.tif 000018